【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
体液または生体成分含有液から生体成分を分画する装置において、生体成分を膜分離する濾過ユニットと、生体成分を吸着する吸着ユニットから選ばれる少なくとも一つのユニットに、該濾過ユニットの濾液または該吸着ユニットの素通り液を除水するための除水ユニットが連続的に設置されており、体液または生体成分含有液を濾過ユニットまたは吸着ユニットの上流から投入して送液することによって生体成分を分画することを特徴とする分画装置。
【請求項２】
前記濾過ユニットが、血清アルブミン以上の分子量を有する成分とそれ以下の分子量を有する成分とを膜分離する濾過ユニットであることを特徴とする請求項１記載の分画装置。
【請求項３】
前記吸着ユニットが、５００Ｄａ以上の分子量を有する少なくとも一つの成分を吸着する吸着ユニットであることを特徴とする請求項１記載の分画装置。
【請求項４】
濾過ユニットにおける濾過処理または吸着ユニットにおける吸着処理と除水ユニットにおける除水処理とが連続的かつ同時になされることを特徴とする請求項１〜３のいずれかに記載の分画装置。
【請求項５】
体液または生体成分含有液を投入するユニットと、その下流の濾過ユニットまたは吸着ユニットと除水ユニットと、さらに生体成分を回収するユニットとが回路を構成していることを特徴とする請求項１〜４のいずれかに記載の分画装置。
【請求項６】
回路が閉鎖回路であることを特徴とする請求項５に記載の分画装置。
【請求項７】
回路内の容積が１Ｌ以下であることを特徴とする請求項５または６に記載の分画装置。
【請求項８】
抗体またはそのフラグメントで吸着する吸着ユニットであることを特徴とする請求項１〜７のいずれかに記載の分画装置。
【請求項９】
抗体またはそのフラグメントがアルブミン、グロブリン、トランスフェリン、ハプトグロビン、α１−アンチトリプシン、アクチン、ミオシン、ケラチンの少なくともいずれか一つから選択されるタンパク質に対するポリクローナル抗体またはモノクローナル抗体またはそのフラグメントであることを特徴とする請求項８記載の分画装置。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
（４）濾過ユニットにおける濾過処理または吸着ユニットにおける吸着処理と除水ユニットにおける除水処理とが連続的かつ同時になされることを特徴とする（１）〜（３）のいずれかに記載の分画装置。
【手続補正６】
【補正対象書類名】明細書
【補正対象項目名】００１５
【補正方法】変更
【補正の内容】
【００１５】
（５）体液または生体成分含有液を投入するユニットと、その下流の濾過ユニットまたは吸着ユニットと除水ユニットと、さらに生体成分を回収するユニットとが回路を構成していることを特徴とする（１）〜（４）のいずれかに記載の分画装置。  
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
（６）回路が閉鎖回路であることを特徴とする（５）に記載の分画装置。
【手続補正１４】
【補正対象書類名】明細書
【補正対象項目名】００２３
【補正方法】変更
【補正の内容】
【００２３】
（７）回路内の容積が１Ｌ以下であることを特徴とする（５）または（６）に記載の分画装置。  
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】変更
【補正の内容】
【００４１】
（８）抗体またはそのフラグメントで吸着する吸着ユニットであることを特徴とする（１）〜（７）のいずれかに記載の分画装置。
【手続補正３３】
【補正対象書類名】明細書
【補正対象項目名】００４２
【補正方法】変更
【補正の内容】
【００４２】
（９）抗体またはそのフラグメントがアルブミン、グロブリン、トランスフェリン、ハプトグロビン、α１−アンチトリプシン、アクチン、ミオシン、ケラチンの少なくともいずれか一つから選択されるタンパク質に対するポリクローナル抗体またはモノクローナル抗体またはそのフラグメントであることを特徴とする（８）記載の分画装置。」